(57)【特許請求の範囲】
【請求項１】
ハードディスク記録装置に設定された複数の録音トラックを備え、これら複数の録音トラック毎に異なる時点で同一曲目の楽曲を多重録音し、これら複数の録音トラックを同時に再生可能としたマルチトラックレコーダにおいて、
音響信号の基本周期と各音名に割当られている基準周期との誤差を測定する調律器と、
次演奏の基準音の周波数を定める楽音を録音した録音済トラックの中の何れかに対応する再生トラック出力端子を選択し、その録音済トラックから再生信号を得るための再生トラック出力端子切り替えスイッチと、
上記調律器の入力端子に、内蔵マイクロホンの出力端子と、ライン入力ジャックの出力端子と、上記再生トラック出力端子切り替えスイッチが選択した再生トラック出力端子の何れかを接続する入力選択スイッチと、
表示面にタッチパネルを備え、このタッチパネルによって調律器の動作を制御する調律器選択スイッチの操作子、上記入力選択スイッチの操作子、上記再生トラック出力端子切り替えスイッチの操作子を構成し、上記マルチトラックレコーダの各動作状態に応じて上記調律器選択スイッチの操作子、上記入力選択スイッチの操作子、上記再生トラック出力端子切り替えスイッチの操作子を構成するタッチパネルの部分に、これらの操作子の存在を表示する液晶表示器と、
を備えることを特徴とする調律器内蔵マルチトラックレコーダ。
【発明の詳細な説明】
【０００１】
【発明の属する技術分野】
この発明は、調律器内蔵マルチトラックレコーダに関し、特に、入力ジャックから入力される信号、内蔵マイクの出力信号、録音トラックの再生信号の音程を測定する調律器を内蔵する調律器内蔵マルチトラックレコーダに関する。
【０００２】
【従来の技術】
複数の楽器を各別に演奏してこれらの演奏をマルチトラックレコーダに１曲の演奏として録音する場合、複数の楽器を調律して複数の楽器の発生する音の相互間の音程を合わせる必要がある。一般に、マルチトラックレコーダにより録音するに先だって、マルチトラックレコーダとは独立した単体の調律器を使用し、これに基づいて複数の楽器を基準ピッチに調律している。
【０００３】
単体の調律器を使用して複数の楽器を基準ピッチに調律するには、先ず、調律しようとする楽器の音響信号を調律器に入力する。ここで、音響信号を調律器に入力するには、楽器が電子楽器であればその音響信号出力端子を調律器の音響信号入力端子に接続する。この状態で、基準ピッチである４４０Ｈｚに対応する音程のキーを操作してこの音響信号を発生する。楽器がアコースチック楽器であれば、調律器にマイクロフォンの音響信号出力端子を調律器の音響信号入力端子に接続する。この状態で、基準ピッチである４４０Ｈｚに対応する音程の演奏をマイクロフォンに対して実施して発生した音響信号を調律器に入力する。調律器は以上の如くして入力された音響信号を増幅、波形整形、Ａ／Ｄ変換してＣＰＵに供給し、音響信号の基本周期を検出し、これを調律器の具備する基準基本周期と比較してピッチ誤差を測定表示する（調律器の詳細は、登録実用新案公報第３０３３２５５号公報参照）。楽器奏者は測定表示されるピッチ誤差を認識しながら調律を実施してピッチ誤差を零にする。
【０００４】
【発明が解決しようとする課題】
単体の調律器を使用する以上の通りの調律の仕方に依っては種々の点で適正迅速な調律を実施することはできない。
複数の楽器の演奏をマルチトラックレコーダに録音する場合、各楽器の奏者が共通の演奏スタジオにおいて共通の調律器により調律して演奏録音するとは限らない。各楽器の奏者が各別の演奏スタジオにおいて、各別の調律器により調律して演奏録音する場合も多い。
【０００５】
この場合、先ず、各調律器の基準基本周期のズレが問題になる。そして、使用する調律器を特定の１個に限定したとしても、演奏スタジオが相違すれば録音環境を異にすることに起因して調律器の状態は変動し、４個の楽器を共通の基準基本周期に基づいて調律したことにはならない。また、演奏スタジオを共通にし、使用する調律器を特定の１個の調律器に限定したとしても、各別の楽器を演奏する時期を異にして録音すると、調律器の状態および演奏スタジオの状態は共に使用時期を異にすることに起因して変動する。
【０００６】
楽器が電子楽器である場合、その音響信号出力端子を調律器の音響信号入力端子であるジャックに接続する。しかし、この接続を実施するプラグおよび入力端子であるジャックについて規格が規定されているとはいえ、複数種類規定されているプラグおよびジャックが統一して使用されている訳ではない。従って、電子楽器の出力端子に接続するプラグが調律器のジャックに必ず適合するとは限らない。
【０００７】
この発明は、調律器を内蔵することにより上述の問題を解消したマルチトラックレコーダを提供するものである。
【０００８】
【課題を解決するための手段】
本発明の調律器内蔵マルチトラックレコーダはハードディスク記録装置に設定された複数の録音トラックを備え、これら複数の録音トラック毎に異なる時点で同一曲目の楽曲を多重録音し、これら複数の録音トラックを同時に再生可能としたマルチトラックレコーダにおいて、音響信号の基本周期と各音名に割当られている基準周期との誤差を測定する調律器と、
【０００９】
次演奏の基準音の周波数を定める楽音を録音した録音済トラックの中から何れかに対応する再生トラック出力端子を選択し、その録音済トラックから再生信号を得るための再生トラック出力端子切り替えスイッチと、調律器の入力端子に、内蔵マイクロホンの出力端子と、ライン入力ジャックの出力端子と、再生トラック出力端子切り替えスイッチが選択した再生トラック出力端子の何れかを接続する入力選択スイッチと、
【００１０】
表示面にタッチパネルを備え、このタッチパネルによって調律器の動作を制御する調律器選択スイッチの操作子、入力選択スイッチの操作子、再生トラック出力端子切り替えスイッチの操作子を構成し、マルチトラックレコーダの各動作状態に応じて調律器選択スイッチの操作子、入力選択スイッチの操作子、再生トラック出力端子切り替えスイッチの操作子を構成するタッチパネルの部分に、これらの操作子の存在を表示する液晶表示器と、を備えることを特徴とする。
【００１１】
【発明の実施の形態】
この発明の実施例を図１および図２を参照して説明する。
図１において、１は選択スイッチ、２は基準周波数発振器、３は操作子、４は波形整形回路、５はＣＰＵ、６は液晶表示器を示す。
図２は液晶表示器６を示し、マルチトラックレコーダＲＥに取り付け固定されている。図２（ａ）は液晶表示器６が入力アサイン画面６１を表示したところを示し、図２（Ｂ）は液晶表示器６が調律器画面６２を表示したところを示す。液晶表示器６は、液晶表示面自体がタッチパネルを含む操作子３を構成すると共にその下側に入力選択スイッチ１１が具備されているものである。
【００１２】
マルチトラックレコーダＲＥに取り付けられている入力押し釦６０を押圧操作すると、液晶表示器６に入力アサイン画面６１が表示されると共に調律器選択スイッチの操作子６１１がＴｕｎｅｒを４角に囲んだ状態に表示される。調律器選択スイッチの操作子６１１に押圧接触すると、液晶表示器６は入力アサイン画面６１から調律器画面６２に切り替わる。調律器画面６２には、入力選択スイッチ１１の操作子６２１が形成されている。この入力選択スイッチ１１の操作子６２１に押圧接触することにより、調律しようとする入力を選択することができる。入力選択スイッチ１１の操作子６２１のＩＮＰＵＴの領域に押圧接触することにより、調律器に具備される複数のジャックの内の選択された何れかのジャックを選択する。入力選択スイッチ１１の操作子６２１のＭＩＣの領域に押圧接触すると、マルチトラックレコーダＲＥに内蔵されるマイクロフォンを選択する。入力選択スイッチ１１の操作子６２１のＴＲＡＣＫの領域に押圧接触すると、マルチトラックレコーダＲＥの再生トラックの内の選択された何れかの再生トラックを選択する。
【００１３】
図３および図４は調律器内蔵マルチトラックレコーダの実施例のブロック図である。図３および図４を参照してマルチトラックレコーダＲＥの録音動作について説明する。
マイクロフォン或いは入力ジャックから入力選択スイッチ１１を介してマルチトラックレコーダＲＥに入力した音響信号は、演算増幅器７１、Ａ／Ｄ変換器７２、録音トラックの選択スイッチ７３を介して選択したチャネルに入力される。選択したチャネルに入力した音響信号は、切り替えスイッチ７４１、イコライザ７４２、切り替えスイッチ７４３、第１録音トラック出入力線７４４を介して選択スイッチ７５に到達する。選択スイッチ７５に到達した音響信号は、切り替えスイッチ７６、選択スイッチ７７を介して８トラックのハードディスク記憶装置７８に録音されるに到る。なお、このハードディスク記憶装置７８もＣＰＵ５に接続し、これにより演算制御処理される。入力ジャックはこれを複数種類具備しておくことにより、プラグを異にする各種の電子楽器の接続を容易にすることができる。
【００１４】
図２乃至図４を参照して調律器ＴＵの動作について説明する。
入力押し釦６０を押圧操作し、調律器選択スイッチの操作子６１１（図２Ａ）に押圧接触することによりマルチトラックレコーダＲＥにおいて内蔵調律器ＴＵが選択され、その使用状態が形成される。そして、調律しようとする楽器が電子楽器か或いはアコースチック楽器かに対応して調律器ＴＵについての入力選択スイッチ１１の操作子６２１（図２Ｂ）を選択的に押圧接触し、マイクロフォン或いは入力ジャックを選択する。
【００１５】
マイクロフォン或いは入力ジャックから入力選択スイッチ１１を介して調律器ＴＵに入力した音響信号は、演算増幅器７１において増幅され、マイクロフォン或いはマイクライン出入力線７９１、７９２、入力選択スイッチ１１を介して調律器ＴＵの入力端子ＴI （図４）を介して波形整形回路４に入力され、ここにおいて増幅、波形整形して基本周期が抽出され、ＣＰＵ５に供給される。ＣＰＵ５に供給された音響信号の基本周期は、ここにおいて調律器ＴＵの具備する基準周波数発振器２が発生する基準基本周期と比較され、ピッチ誤差が測定される。ＣＰＵ５において測定されたピッチ誤差は液晶表示器６に表示され、楽器演奏者は表示されるピッチ誤差を認識しながら楽器を調律してこのピッチ誤差を最終的に零にする。
【００１６】
ここで、マルチトラックレコーダＲＥの８トラックのハードディスク記憶装置７８に録音された音響信号を調律器ＴＵに入力してその音程を測定する仕方について説明する。この場合も、入力押し釦６０を押圧操作し、調律器選択スイッチの操作子６１１（図２）に押圧接触して内蔵調律器ＴＵを選択し、そして、録音された音響信号を入力することに対応して入力選択スイッチ１１の操作子６２１（図２ｂ参照）のＴＲＡＣＫ領域に押圧接触し、調律器画面図２（ｂ）の表示からトラック番号選択画面図２（ｃ）の表示に切り替え、トラック番号１ないし８を選択押圧接触して、再生しようとするトラックを選択する。この状態において、マルチトラックレコーダＲＥの８トラックのハードディスク記憶装置７８の選択された第１トラックに録音されている音響信号を読み出し再生し、再生された音響信号を第１再生トラック出入力線７８１、再生トラック出力端子切り替えスイッチ７８２（図４参照）、入力選択スイッチ１１を介して調律器ＴＵに入力する。調律器ＴＵに入力された再生音響信号は先の楽器演奏による音響信号の場合と同様に、その基本周期は調律器ＴＵの具備する基準周波数発振器２が発生する基準基本周期と比較され、ピッチ誤差は液晶表示器６に表示される。
【００１７】
【発明の効果】
以上の通りであって、調律器を内蔵したマルチトラックレコーダというものは従来存在しなかったが、この発明によりマルチトラックレコーダ自体に調律器を内蔵させたことにより、複数の楽器の演奏をマルチトラックレコーダを使用して録音する場合に、各楽器の調律操作およびマルチトラックレコーダの取り扱い操作を容易簡略化することができる。具体的には、マイクロフォンの出力端子とライン入力ジャックの出力端子を入力選択スイッチを介して調律器入力端子に切り替え接続する構成を具備することにより、複数の楽器の演奏をマルチトラックレコーダに録音する場合、各楽器の奏者は何れの演奏スタジオにおいても内臓される共通の調律器により調律することとなり、調律器の基準基本周期のズレの問題は本来的に解消される。
【００１８】
そして、マルチトラックレコーダのハードディスク記憶装置の再生トラック出力端子をも入力選択スイッチを介して調律器入力端子に切り替え接続する構成を具備することにより、録音されている音響信号を調律器に入力してその音程を測定することができるので、録音されている音響信号の音程を基準としてその後に演奏する楽器の調律をすることができる。これにより、演奏スタジオを異にすると共に時期を異にして複数楽器を録音する場合において、調律器の状態および演奏スタジオの状態が変動しても、この状態における先の演奏の音程を基準として各楽器の調律を実施するのでこの調律は適正なものとすることができる。
【図面の簡単な説明】
【図１】  実施例を説明する図。
【図２】  液晶表示部を説明する図。
【図３】  マルチトラックレコーダ全体を説明する図。
【図４】  図３の続き。
【符号の説明】
１  選択スイッチ
１１  入力選択スイッチ
１１’録音トラック出力端子切り替えスイッチ
２  基準周波数発振器
３  操作子
４  波形整形回路
５  ＣＰＵ
６  液晶表示器
６０  入力押し釦
６１  入力アサイン画面
６１１  調律器選択スイッチの操作子
６２  調律器画面
６２１  入力選択スイッチ１１の操作子
７１  演算増幅器
７２  Ａ／Ｄ変換器
７３  録音トラックの選択スイッチ
７４１  切り替えスイッチ
７４２  イコライザ
７４３  切り替えスイッチ
７４４  第１録音トラック出入力線
７５  選択スイッチ
７６  切り替えスイッチ
７７  選択スイッチ７７
７８  ハードディスク記憶装置
７８１  第１再生トラック出入力線
７９１、７９２  マイクライン出入力線
ＲＥ  マルチトラックレコーダ
ＴI   調律器入力端子
ＴＵ  内蔵調律器
【図１】
0003774070.tif 000002
【図２】
0003774070.tif 000003
【図３】
0003774070.tif 000004
【図４】
0003774070.tif 000005